(57)【特許請求の範囲】
【請求項１】
基材テープ上に塗膜を設けた転写テープを繰出す繰出部、前記転写テープを被転写面に押圧して前記塗膜を転写する転写押圧部、塗膜転写後の前記基材テープを巻取る巻取部、及び前記繰出部と前記巻取部を連動回転させる連動回転機構を有する塗膜転写具において、
前記繰出部、前記転写押圧部、前記巻取部、及び前記連動回転機構を保持するカセットケースは、前記転写押圧部を外部へ突出する開口部を有し、前記カセットケース内の第一位置と第二位置の間を移動可能な移動ケースには一対の対向する薄板部が一体に設けられ、前記移動ケースを前記第二位置から前記第一位置へ移動することにより、前記一対の対向する薄板部が前記開口部から突出して、前記一対の対向する薄板部の一方が前記転写押圧部上の塗膜を転写する前の前記転写テープを覆い、他方の薄板部が前記塗膜を転写後の基材テープを覆い、前記一対の対向する薄板部が前記転写押圧部前方で互いに近接することを特徴とする塗膜転写具。
【請求項２】
前記移動ケースが前記第一位置へ移動することにより前記一対の対向する薄板部が係合する係合部を、それぞれの薄板部先端に有することを特徴とする請求項１に記載の塗膜転写具。
【請求項３】
前記一対の対向する薄板部が、前記第一位置へ移動することにより、前記一対の対向する薄板部が組み合わせられて、前記転写押圧部全体を覆うことを特徴とする請求項１又は請求項２に記載の塗膜転写具。
【発明の詳細な説明】
【技術分野】
【０００１】
本発明は、文字修正用塗膜、接着用の粘着剤塗膜、装飾用塗膜等を被転写面に押圧転写するための塗膜転写具の技術分野に属し、特に、塗膜を転写する転写押圧部上の転写テープを保護する転写ヘッドカバーを有する塗膜転写具の技術分野に属する。
【背景技術】
【０００２】
塗膜転写具は、一般に，ケ−ス部分より突出した転写ヘッドに掛け回したテ−プの外面に塗布された粘着剤や修正インクなどの塗膜を、紙などの被転写面へ転写するようになっている。そのため塗膜が外部に露出しており、不使用時に塗膜が破損したり、ゴミが付着しやすくなっている。
【０００３】
塗膜の破損やゴミの付着を防止するために、従来から特許文献１，２のようなカセットの外周面上をスライドできるカバーを設けて、不使用時に転写ヘッドに掛け回された塗膜を保護する塗膜転写具や，特許文献３のような転写ヘッドを覆う着脱可能な保護キャップを設けた塗膜転写具や、特許文献４のような、保護カバーをカセットの外周上の支軸まわりに回転可能に設けて、不使用時に転写ヘッドに掛け回されたテープの塗膜を保護する塗膜転写具が、提案されてきた。
【０００４】
しかし、特許文献１のカセットの外周面上をスライドして、転写ヘッド上の塗膜を覆う板状の転写ヘッドカバー、特許文献２の同じくカセットの先端部分をスライドして、転写ヘッドの周囲を覆う筒状の転写ヘッドカバー、特許文献４のカセット外周上の支軸回りに回転して、転写ヘッド上の塗膜を覆う板状の転写ヘッドカバーは、いずれも転写ヘッド先端部の前方を覆うことはできず、塗膜へのゴミ付着の防止には十分なものではなかった。また、特許文献２記載の取り外しタイプの転写ヘッドキャップは、転写ヘッドを完全に覆う形状のものを製作することは可能だが、取り外したキャップ自身を紛失する可能性があった。
【０００５】
このような問題点を解決するものとして、特許文献５の塗膜転写具Ｘが提案されている。塗膜転写具Ｘは、スライド自在に設けた対向する一対の転写ヘッドカバーを有し、転写ヘッドカバーが転写ヘッド方向へ前出した位置で、転写ヘッドカバーが組み合わされて、転写ヘッドを覆うことを特徴とするものである。塗膜転写具Ｘでは、一対の転写ヘッドカバーが組み合わされて転写ヘッドを覆うので、転写ヘッド先端部前方も覆う形状とすることが可能であるとともに、転写ヘッドカバーが塗膜転写具から取り外されないので、転写ヘッドカバーを紛失することもない。
【０００６】
また、塗膜転写具Ｘでは、一対の転写ヘッドカバーの一方をスライドさせることにより、他方が連動してスライドする構造も提案されている。このため、それぞれの転写ヘッドカバーを別々に動かさなくても、一方の転写ヘッドカバーを動かすだけで、転写ヘッドカバーを確実に開閉することができるようになっている。
【０００７】
塗膜転写具Ｘでは、一対の転写ヘッドカバーを連動させるための連動機構として、リンク機構やカム機構などが使用されている。しかしながら、リンク機構やカム機構などで連動機構を製作した場合には、耐久性や一対の転写ヘッドカバーの動きにずれが生じるという問題があった。一対の転写ヘッドカバーを連動させるには、移動する転写ヘッドカバーが他方の転写ヘッドカバーを押して、両方の転写ヘッドカバーが同時に移動する構造とする必要がある。移動する転写ヘッドカバーが他方の転写ヘッドカバーを押す構造とするには、移動する転写ヘッドカバーと他方の転写ヘッドカバーが摺動する必要がある。しかしながら、成形品等で製作された転写ヘッドカバーを頻繁に摺動させると、摺動面が削れてスムースに摺動できなくなるという問題があった。また、一対の転写ヘッドカバーをスムースに摺動させるためには、摺動面に必要最小限の「がた」を設ける必要がある。ところが、一方の転写ヘッドカバーを転写ヘッド方向に前進させた場合に、この「がた」が影響して、他方の転写ヘッドカバーが前進しきらず、転写ヘッドカバー間に隙間が発生するという問題もあった。この「がた」による問題は、前記のように摺動面の削れが発生した場合には、より顕著になる。
【０００８】
これらの問題を解決するためには、連動機構の摺動面や回転部にベアリング等の摩擦や回転抵抗を低減する部品を組み込むか、あるいは滑りを良くするための潤滑剤を塗るなど方法が考えられる。しかしながら、ベアリング等の部品を組み込むと、部品点数が増え機構が複雑になり、潤滑剤を使用すると、潤滑剤が漏れて転写テープや使用者の手を汚すなど別の問題が生じる。
【先行技術文献】
【特許文献】
【０００９】
【特許文献１】特開２００３−３２０７９２号公報
【特許文献２】特開２００４−２６８３２２号公報
【特許文献３】特開２００４−２８４１７９号公報
【特許文献４】特開２００９−２８５８８４号公報
【特許文献５】特開２０１１−２５５５５３号公報
【発明の概要】
【発明が解決しようとする課題】
【００１０】
本発明が解決しようとする課題は、複雑な機構や潤滑剤を使用しなくても、耐久性に優れ、スムースに開閉することができる一対の連動する転写ヘッドカバーを有する塗膜転写具の提供である。
【課題を解決するための手段】
【００１１】
第１発明は、基材テープ上に塗膜を設けた転写テープを繰出す繰出部、前記転写テープを被転写面に押圧して前記塗膜を転写する転写押圧部、塗膜転写後の前記基材テープを巻取る巻取部、及び前記繰出部と前記巻取部を連動回転させる連動回転機構を有する塗膜転写具において、
前記繰出部、前記転写押圧部、前記巻取部、及び前記連動回転機構を保持するカセットケースは、前記転写押圧部を外部へ突出する開口部を有し、前記カセットケース内の第一位置と第二位置の間を移動可能な移動ケースには一対の対向する薄板部が一体に設けられ、前記移動ケースを前記第二位置から前記第一位置へ移動することにより、前記一対の対向する薄板部が前記開口部から突出して、前記一対の対向する薄板部の一方が前記転写押圧部上の塗膜を転写する前の前記転写テープを覆い、他方の薄板部が前記塗膜を転写後の基材テープを覆い、前記一対の対向する薄板部が前記転写押圧部前方で互いに近接することを特徴とする塗膜転写具である。
【００１２】
第２発明は、前記移動ケースが前記第一位置へ移動することにより前記一対の対向する薄板部が係合する係合部を、それぞれの薄板部先端に有することを特徴とする第１発明に記載の塗膜転写具である。
【００１３】
第３発明は、前記一対の対向する薄板部が、前記第一位置へ移動することにより、前記一対の対向する薄板部が組み合わせられて、前記転写押圧部全体を覆うことを特徴とする第１又は第２発明に記載の塗膜転写具である。
【発明の効果】
【００１４】
本発明によれば、複雑な機構や潤滑剤を使用しなくても、耐久性に優れ、スムースに開閉することができる一対の連動する転写ヘッドカバーを有する塗膜転写具を提供することができる。
【図面の簡単な説明】
【００１５】
【図１】本発明の第１実施形態の塗膜転写具Ａを示す。
【図２】本発明の第２実施形態の塗膜転写具Ｂを示す。
【図３】本発明の第３実施形態の塗膜転写具Ｃを示す。
【図４】本発明の第４実施形態の塗膜転写具Ｄを示す。
【発明を実施するための形態】
【００１６】
図１に、本発明の第１実施形態の塗膜転写具Ａを示す。図１（ａ）は、内部構造を見えるようにするために、上ケース１２を除去した状態の塗膜転写具Ａの平面図であり、図１（ｂ）は図１（ａ）のＭ−Ｍ断面を示す図であり、図１（ｃ）は移動ケース２が第二位置にある状態を示す図であり、図１（ｄ）は移動ケース２が第一位置にある状態を示す図であり、図１（ｅ）は図１（ａ）のＮ−Ｎ断面を示す図であり、図１（ｆ）は移動ケース２単体を示す図である。
【００１７】
塗膜転写具Ａは、基材テープＴ１上に塗膜を設けた転写テープＴを繰出部から繰出し、転写押圧部で転写テープＴを押圧して塗膜を被転写面へ転写した後、基材テープＴ１を巻き取ることや、基材テープＴ１の巻取り長さが転写テープＴの繰出し長さより長くなるように、転写テープＴを繰出す繰出コアと基材テープを巻き取る巻取コアを連動回転させ、転写テープＴに適度な張力をかけることによって、転写テープＴがたるまないようにしていることは、従来の塗膜転写具と同様である。
【００１８】
塗膜転写具Ａの筐体部分であるカセットケース１は下ケース１１と上ケース１２で構成されている。下ケース１１と上ケース１２を組み合わせると、内部に空間と転写押圧部が突出する開口部１３を有する筐体であるカセットケース１となる。また、塗膜転写具Ａではカセットケース１内を移動する移動ケース２も下移動ケース２７と上移動ケース２６で構成されている。下移動ケース２７と上移動ケース２６を組み合わせると、転写ヘッド５を覆う薄板部２２，２３が一体に設けられた移動ケース２となる。塗膜転写具Ａでは、下ケース１１を上ケース１２へ固定する方法、及び上移動ケース２６を下移動ケース２７へ固定する方法として、その一方に設けたピンを他方に設けた穴に圧入して嵌合する方法を用いているが、これらを固定する方法は嵌合に限定されるものではなく、任意の方法を用いることができる。塗膜転写具Ａが組み立てられた状態では、移動ケース２から突出する操作片２８１が、カセットケース１に設けられた操作穴１７から外部に露出している。操作穴１７は長穴であり、操作片２８１を操作穴１７の長手方向に移動することによって、移動ケース２が移動可能となっている。
【００１９】
カセットケース１の内部空間には、繰出コア３と巻取コア４が回転可能に軸支されている。繰出コア３には転写テープＴが巻きつけられ、転写テープＴを繰出す繰出部となり、巻取コア４は塗膜を転写後に基材テープＴ１を巻き取る巻取部となっている。カセットケース１の開口部１３からは転写ヘッド５が突出し、転写テープＴから塗膜を被転写面に押圧転写する転写押圧部となっている。
【００２０】
繰出コア３と巻取コア４には、プーリー部３１、４１が設けられている。プーリー部３１と４１には１本のＯリング６が掛けまわされ、繰出コア３と巻取コア４はＯリング６により連動回転可能となっている。塗膜転写具Ａでは、基材テープＴ１の巻取り長さが転写テープＴの繰出し長さより長くなるように、繰出コア３の転写テープＴを巻き付ける外径と巻取コア４の基材テープＴ１を巻き付ける外径を設定し、Ｏリング６と巻取コア４のプーリー部４１が滑ることによって、転写テープＴの繰り出し長さと基材テープＴ１の巻き取り長さの差を吸収するように繰出コア３と巻取コア４を連動回転させ、転写テープＴに適度な張力をかけ転写テープＴがたるまないようにしている。塗膜転写具Ａではコア同士の連動機構として、Ｏリングを使用しているが、本発明の塗膜転写具の連動機構はＯリングに限定されるものではなく、ギヤや摩擦車など、任意の連動機構が使用可能である。
【００２１】
塗膜転写具Ａの組み立てに当たっては、まず下ケース１１に下移動ケース２７を装着した後に、転写ヘッド５、転写テープＴを含む繰出コア３と巻取コア４を組み込み、繰出コア３と巻取コア４のそれぞれのプーリー部３１，４１にＯリング６を掛け回す。次に、下移動ケース２７に上移動ケース２６を装着し、最後に下ケース１１に上ケース１２を装着する。
【００２２】
移動ケース２は、カセットケース１内を移動する筒部２８、及び２箇所の対向する薄板部２２，２３で構成されている。薄板部２２には所謂蛇腹構造２４が設けられている。
【００２３】
下移動ケース２７の薄板部２２が装着される下ケース１１のレール部１５は、外壁と内壁で構成される狭い隙間となっており、この隙間の一部は外壁に沿った曲線状となっている。薄板部２２の蛇腹構造２４部分がレール部１５に装着されるので、薄板部２２はレール部１５の曲線に沿って容易に変形し、薄板部２２はレール部１５に容易に装着される。一方、下移動ケース２７の薄板部２３はレール部１５とは反対側の下ケース１１のレール部１６に装着される。
【００２４】
下ケース１１に下移動ケース２７を装着すると、図１（ｅ）に示すように下ケース１１に設けられた繰出軸１１４が下移動ケース２７に設けられたガイド長穴２７２を通して突出する。
【００２５】
下ケース１１に下移動ケース２７を装着した状態で、転写ヘッド５、転写テープＴを含む繰出コア３と巻取コア４、及びＯリング６を組み込んだ後、上移動ケース２６を下移動ケース２７に装着する。繰出コア３は、ガイド長穴２７２から突出した繰出軸１１４に回転可能に軸支される。下移動ケース２７に設けられた３箇所の嵌合穴２７１に、上移動ケース２６に設けられた３箇所の嵌合ピンを圧入することによって、下移動ケース２７と上移動ケース２６が固定される。
【００２６】
上移動ケース２６にも下移動ケース２７と同形状のガイド長穴２６２が同じ位置に設けられており、下移動ケース２７に上移動ケース２６を装着すると繰出軸１１４がガイド長穴２６２内に挿入される。ガイド長穴２６２、２７２の両端部には、弾性変形することにより繰出軸１１４を保持することができるフック部２９が設けられている。転写ヘッド５から遠い側のフック部２９が繰出軸１１４を保持すると、塗膜転写具Ａが図１（ｄ）の状態、すなわち移動ケース２が第一位置にある状態となり、転写ヘッド５に近い側のフック部２９が繰出軸１１４を保持すると、塗膜転写具Ａが図１（ｃ）の状態、すなわち移動ケース２が第二位置にある状態となる。
【００２７】
移動ケース２が第二位置にある状態では、薄板部２２、２３の先端部が転写ヘッド５の突出方向後方にあって、転写ヘッド５上の転写テープＴが露出し、転写ヘッド５で塗膜が転写可能となっている。一方、移動ケース２が第一位置にある状態では、薄板部２２、２３の先端部が転写ヘッド５先端の前方で組み合わされ、転写ヘッド５先端部の前方を覆う。薄板部２２、２３の先端部が組み合わされた状態では、薄板部２２、２３の先端部間の最小隙間が１ｍｍ以下となるように、薄板部２２、２３が近接することが好ましく、薄板部２２、２３の先端部が隙間なく接触することが、より好ましい。薄板部２２、２３の先端部間の最小隙間が１ｍｍを超えると、転写ヘッド５上の塗膜へのゴミの付着を防止する効果が小さくなる。
【００２８】
このように、移動ケース２が第一位置と第二位置にあるときに、繰出軸１１４がフック部２９に保持されるので、移動ケース２が第一位置及び第二位置で固定される。このため、移動ケース２が第一位置にある状態、すなわち移動ケース２の薄板部２２，２３が転写ヘッド５を覆っている状態で、塗膜転写具Ａを掴んで持ち上げても、不意に移動ケース２が移動して転写ヘッド５先端部の前方が薄板部２２，２３によって覆われなくなることはない。また、移動ケース２が第二位置にある状態、すなわち移動ケース２の薄板部２２，２３が転写ヘッド５を覆っていない状態で、転写ヘッド５を被転写面に押圧して塗膜を転写しようとして塗膜転写具Ａを持ち上げても、不意に移動ケース２の薄板部２２，２３が移動し転写ヘッド５を覆って塗膜転写できない状態になることはない。
【００２９】
前記のように、下移動ケース２７に上移動ケース２６を装着した状態で、下ケース１１に上ケース１２を装着することにより、塗膜転写具Ａが完成する。下ケース１１に設けられた４箇所の嵌合穴１１３へ、上ケース１２に設けられた４箇所の嵌合ピンを圧入することによって、下ケース１１と上ケース１２が固定される。
【００３０】
前記のように、移動ケース２はカセットケース１に対して、図１（ｄ）に示す第一位置と図１（ｃ）に示す第二位置との間を移動可能となっている。薄板部２２は下ケース１１の曲線状部分と直線状部分とからなるレール部１５に装着されている。このため、移動ケース２が第一位置と第二位置の間を移動すると、薄板部２２はレール部１５の形状に合わせて、形状を変化する必要がある。薄板部２２には蛇腹構造２４が設けられているので、薄板部２２はレール部１５に合わせて形状を変化することができ、移動ケース２は第一位置と第二位置の間をスムースに移動することができる。
【００３１】
塗膜転写具Ａでは薄板部２２を変形可能とするために蛇腹構造を用いたが、薄板部を変形可能とするための方法は蛇腹構造に限定されるものではない。例えば、薄板部を変形可能とする方法として、移動ケース２の材質にポリエチレン、ポリプロピレンなどの柔軟性のある材料を使用することによって、薄板部２２を変形可能としてもよいし、柔軟性のある材料と蛇腹構造を併用してもよい。
【００３２】
図１（ｆ）に示すように、薄板部２２の先端部２２２には、凸形状が設けられている。この凸形状は、薄板部２３の先端近傍に設けられた凹部２３１と、略同形状で凹部２３１に凸部が嵌まり込むようになっている。このため、移動ケース２が第一位置へ移動して、薄板部２２、薄板部２３がともに転写ヘッド５方向へ移動すると、薄板部２２の先端部２２２が薄板部２３の凹部２３１に係合する。先端部２２２と凹部２３１が係合するので、移動ケース２同士が転写ヘッド５先端の前方で確実に係合することができる。また、塗膜転写具Ａでは一対の転写ヘッドカバーである薄板部２２、２３が移動ケース２に一体に設けられているので、複雑な機構や潤滑剤を使用しなくても、一対の転写ヘッドカバーをスムースに連動して開閉でき、かつ耐久性に優れたものとすることができる。
【００３３】
また、本発明の塗膜転写具では、移動ケース２が第一位置へ移動した際に、薄板部２２、２３によって、転写ヘッド５全体を覆う形状とすることが好ましい。
【００３４】
薄板部２２、２３によって転写ヘッド５全体を覆う形状とした本発明の第２実施形態である塗膜転写具Ｂを図２に示す。図２（ａ）は、内部構造を見えるようにするために、上ケース１２を除去した状態の塗膜転写具Ｂの平面図であり、図２（ｂ）は移動ケース２が第二位置にある状態を示す図であり、図２（ｃ）は移動ケース２が第一位置にある状態を示す図であり、図２（ｄ）は移動ケース２単体を示す図であり、図２（ｅ）は薄板部（転写ヘッドカバー）の寸法関係を示す図である。
【００３５】
塗膜転写具Ｂは、薄板部２３の先端部の形状が異なることと、移動ケース２が前記第二位置に移動すると、薄板部２３の先端に設けられた２枚の側板２３２がカセットケース１内に収納されること以外は、塗膜転写具Ａと同様である。
【００３６】
図２（ｄ）に示すように、塗膜転写具Ｂの移動ケース２の薄板部２３の先端には、三角形状の側板２３２が設けられている。側板２３２は同形状のものが、左右一対設けられている。図２（ａ）、（ｅ）に示すように、移動ケース２が第一位置へ移動すると、両側板２３２間に、もう一方の薄板部２２の先端部が入り込む。このように、両側板２３２間に薄板部２２が入り込むことにより、転写ヘッド５全体を薄板部２２と薄板部２３とによって覆うことができる。図２（ｅ）に示すように、両側板２３２間の距離をｐ、薄板部２２の幅寸法をｑとすると、ｐはｑよりも０．５ｍｍ以上１．０ｍｍ以下大きいことが好ましい。ｐとｑの差が０．５ｍｍより小さくなると、スライド時の薄板部の動きが悪くなり、１．０ｍｍを超えると薄板部間の隙間が大きくなり、転写ヘッドカバーとしての効果が小さくなる。
【００３７】
図２（ｂ）に示すように、塗膜転写具Ｂでは、移動ケース２が第二位置へ移動すると、両側板２３２はカセットケース１内に収納される。塗膜転写具Ｂでは、薄板部２２、２３、及び両側板２３２により転写ヘッド５全体を覆うことができるので、より確実に転写ヘッド５上の塗膜へのゴミ付着を防止することができる。
【００３８】
本発明の第３実施形態である塗膜転写具Ｃを図３に示す。図３（ａ）は、内部構造を見えるようにするために、上ケース１２を除去した状態の塗膜転写具Ｃの平面図であり、図３（ｂ）は移動ケース２が第二位置にある状態を示す図であり、図３（ｃ）は移動ケース２が第一位置にある状態を示す図であり、図３（ｄ）は移動ケース２単体を示す図である。
【００３９】
塗膜転写具Ｃは、カセットケース１が転写ヘッド５の突出方向後方に第２開口部１４を有し、移動ケース２に第２開口部を覆う封鎖部２１が一体に設けられていること、及び移動ケース２の移動時に操作する操作片２８１が無く、操作片２８１を露出するための操作穴１７がカセットケース１に設けられていないこと以外は、塗膜転写具Ａと同様である。
【００４０】
塗膜転写具Ｃでは、第２開口部１４から突出する封鎖部２１を操作すること、すなわち、封鎖部２１と一体に設けられた筒部２８をカセットケース１に対して出し入れすることにより、移動ケース２を前記第一位置と第二位置間で往復移動させることができる。したがって、封鎖部２１を操作することにより、薄板部２２、２３を、先端部が転写ヘッド５の突出方向後方にあって転写ヘッド５で塗膜が転写可能な位置と、先端部が転写ヘッド５先端の前方で組み合わされ、転写ヘッド５先端部の前方を覆う位置との間で往復移動させることができる。
【００４１】
塗膜転写具Ｃでは、手で掴みやすい封鎖部２１を操作することで、薄板部２２，２３すなわち転写ヘッドカバーを開閉することができるので、小さな操作片２８１を操作する塗膜転写具Ａ、Ｂに比べて、転写ヘッドカバーの開閉操作が容易となる。
【００４２】
本発明の第４実施形態である塗膜転写具Ｄを図４に示す。図４（ａ）は、内部構造を見えるようにするために、上ケース１２を除去した状態の塗膜転写具Ｄの平面図であり、図４（ｂ）は塗膜転写具Ｄの背面図であり、図４（ｃ）は図４（ｂ）のＬ−Ｌ断面であり、図４（ｄ）は移動ケース２が第二位置にある状態を示す図であり、図４（ｅ）は移動ケース２が第一位置にある状態を示す図であり、図４（ｆ）は移動ケース２単体を示す図である。
【００４３】
塗膜転写具Ｄは、カセットケース１の第２開口部１４が２箇所に分かれており、移動ケース２の第２開口部１４に挿通される部分も２箇所に分離されていること、及び、移動ケース２の第一位置と第二位置での固定手段が繰出軸１１４とフック部２９ではなく、別の手段が設けられていること以外は、塗膜転写具Ｃと同様である。
【００４４】
塗膜転写具Ｄでは、図４（ｃ）に示すように、移動ケース２には先端に三角状突起を有する弾性変形可能な弾性片２８２が設けられ、カセットケース１の内面に２箇所の三角状の凹部が設けられる。塗膜転写具Ｄでは、移動ケース２が第一位置および第二位置にあるときに、前記三角状突起が前記三角状の凹部のいずれかと係合し、移動ケース２が第一位置または第二位置に固定される。このように、塗膜転写具Ｄでは、塗膜転写具Ａ、Ｂ、Ｃの繰出軸１１４とフック部２９の代わりに、弾性片２８２とカセットケース１の内面に設けられた２箇所の三角状の凹部が、移動ケース２の第一位置と第二位置での固定手段となっている。塗膜転写具Ｄでも、手で掴みやすい封鎖部２１を操作することで、薄板部２２，２３すなわち転写ヘッドカバーを開閉することができるので、小さな操作片２８１を操作する塗膜転写具Ａ、Ｂに比べて、転写ヘッドカバーの開閉操作が容易となっている。
【００４５】
塗膜転写具Ａ、Ｂ、Ｃ、Ｄでは、転写テープＴを交換することによって、塗膜転写具の少なくとも一部の部品を再利用することができる所謂交換タイプの塗膜転写具ではなく、使い捨てのタイプとなっている。しかしながら、本発明の塗膜転写具は使い捨てタイプに限定されるものではなく、交換タイプの塗膜転写具とすることもできる。
【００４６】
交換タイプの塗膜転写具の実施形態としては、例えば、上ケース１２、下ケース１１、上移動ケース２６、下移動ケース２７で構成された本体カセットと、転写ヘッド５、転写テープＴを含む繰出コア３と巻取コア４、及びＯリング６を組み込んだ交換カセットから構成される塗膜転写具が挙げられる。塗膜転写具の交換方式としては、例えば、上ケース１２と下ケース１１をヒンジで連結することにより、本体カセットを開閉可能とし、本体カセットを開いて交換カセットを交換する方式が挙げられる。
【符号の説明】
【００４７】
Ａ、Ｂ、Ｃ、Ｄ    ：塗膜転写具
Ｔ                ：転写テープ  
Ｔ１              ：基材テープ
１                ：カセットケース
１１              ：下ケース
１１３            ：嵌合穴
１１４            ：繰出軸
１１５            ：巻取軸
１２              ：上ケース
１３              ：開口部
１４              ：第２開口部
１５              ：レール部
１６              ：レール部
１７              ：操作穴
２                ：移動ケース
２１              ：封鎖部
２２              ：薄板部
２２２            ：先端部
２３              ：薄板部
２３１            ：凹部
２３２            ：側板
２４              ：蛇腹構造
２６              ：上移動ケース
２６２            ：ガイド長穴
２７              ：下移動ケース
２７１            ：嵌合穴
２７２            ：ガイド長穴
２８              ：筒部
２８１            ：操作片
２８２            ：弾性片
２９              ：フック部
３                ：繰出コア
３１              ：プーリー部
４                ：巻取コア
４１              ：プーリー部
５                ：転写ヘッド
６                ：Ｏリング
【図１】
0006566260.tif 000002
【図２】
0006566260.tif 000003
【図３】
0006566260.tif 000004
【図４】
0006566260.tif 000005